(57)【特許請求の範囲】
【請求項１】
自転車の適宜部位に取り付けられる受け部材と、該受け部材の表面の受け座の周縁に受け座に直交する方向に起立形成される受け座周壁部と、該受け座周壁部の辺部の内側に形成された係合溝部と、受け部材に装着される第１装飾部材とからなり、該第１装飾部材の本体周壁部の辺部には、前記受け座周壁部の係合溝部に対応して係合する係合突起部が形成され、前記係合溝部と係合突起部とが、前記受け部材と第１装飾部材との装着方向の壁面に沿って設けられ、かつ、前記受け部材と第１装飾部材との間に第２装飾部材を介設して、前記受け部材と第１装飾部材とが係合溝部と係合突起部とにより着脱自在に装着されたことを特徴とする自転車用装飾具。
【請求項２】
前記第１装飾部材が立体的な幾何学形状を備えていることを特徴とする請求項１に記載の自転車用装飾具。
【請求項３】
前記第１装飾部材が透過性材料から構成されたことを特徴とする請求項１または２に記載の自転車用装飾具。
【請求項４】
前記第２装飾部材が薄板状であることを特徴とする請求項１から３のいずれかに記載の自転車用装飾具。
【請求項５】
前記第２装飾部材が発光機能または反射機能を有することを特徴とする請求項１から４のいずれかに記載の自転車用装飾具。
【請求項６】
前記係合溝部が受け部材に形成された場合に、係合溝部が受け部材の表裏に貫通して設けられたことを特徴とする請求項１から５のいずれかに記載の自転車用装飾具。
【請求項７】
前記受け部材に取付け脚部を形成するとともに、該取付け脚部を車輪スポ−クに取り付けたことを特徴とする請求項１から６のいずれかに記載の特徴とする自転車用装飾具。
【請求項８】
前記請求項１から７のいずれかに記載の自転車用装飾具を取り付けたことを特徴とする自転車。
【発明の詳細な説明】
【技術分野】
【０００１】
本発明は、自転車の適宜部位に取り付けられて使用される自転車用装飾具に関する。
【背景技術】
【０００２】
自転車の走行中における安全確保の観点から、自転車が車両や歩行者から視認され易いように種々の装飾具を自転車に取り付けることが行われている。特に自転車の回転部分に装飾具を取り付けることによって、車両や歩行者からの視認効果が格段に向上するところから、走行中に回転するペダル部分や車輪部分に装飾具を取り付けることが提案されてきた。そのようなもののなかで典型的な例として下記特許文献１がある。
【特許文献１】実開昭５４−２４８５３号公報（実用新案登録請求の範囲参照）
【発明の開示】
【発明が解決しようとする課題】
【０００３】
前記特許文献１に開示された自転車用飾り具を図７に示して簡単に説明する。基体１０３の裏面に、自転車のスポ−クに挟み止める係止脚１０１を設けるとともに、該基体１０３の表面に発光性および反射性を備えた小片１０５を貼着してなるものである。前記小片１０５は、基体１０３の表面の周囲に形成された突縁１０２によって画成された凹陥部１０４内に接着剤等により貼着される。このように構成されているので、前記係止脚１０１を自転車のスポ−クにワンタッチにて挟着して容易に車輪に取り付けることで、自転車車輪に簡便に装飾を施すことができる上、回転する車輪に取りつけられて発光性および反射性を備えた小片１０５の格段の視認効果により、自転車および塔乗者が車両や歩行者から容易に視認されるので、特に自転車の夜間走行中の安全が確保されて実用的効果が発揮されることとなった。
【０００４】
しかしながら、前記従来のような自転車用飾り具では、発光性および反射性を備えた小片１０５を基体１０３の表面の凹陥部１０４内に接着剤等により貼着して構成されているために、小片１０５を凹陥部１０４上に貼着するに際して、貼着の初期に互いの投影面がずれてしまうと適正に重合されないで貼着されてしまい、改めて貼着作業をやり直さなねばならなかった。そのため、貼着強度が低下したり、作業工程における要処理時間の拡大を招いた。それらの課題は複雑な形状（例えば星形等の細部があるもの）の場合に甚だしかった。また、前述の従来例のものにおける基体１０３自体に装飾を施したものも提案されているが、スポ−クに挟み止める係止脚１０１を弾性を備える材質にて構成する必要があるところから、係止脚１０１と一体の基体１０３自体として透過性の高い材料を選択することができない等、材料の選択に制約が生じた。
【０００５】
そこで本発明は、前記従来の自転車用装飾具の課題を解決して、複雑な形状の装飾具であっても、簡素な製造工程にて失敗の虞れなく装飾部の形成が可能で、装飾部材の材料の選定の自由度も高い自転車用装飾具を提供することを目的とする。
【課題を解決するための手段】
【０００６】
このため本発明は、自転車の適宜部位に取り付けられる受け部材と、該受け部材の表面の受け座の周縁に受け座に直交する方向に起立形成される受け座周壁部と、該受け座周壁部の辺部の内側に形成された係合溝部と、受け部材に装着される第１装飾部材とからなり、該第１装飾部材の本体周壁部の辺部には、前記受け座周壁部の係合溝部に対応して係合する係合突起部が形成され、前記係合溝部と係合突起部とが、前記受け部材と第１装飾部材との装着方向の壁面に沿って設けられ、かつ、前記受け部材と第１装飾部材との間に第２装飾部材を介設して、前記受け部材と第１装飾部材とが係合溝部と係合突起部とにより着脱自在に装着されたことを特徴とする。また本発明は、前記第１装飾部材が立体的な幾何学形状を備えていることを特徴とする。また本発明は、前記第１装飾部材が透過性材料から構成されたことを特徴とする。また本発明は、前記第２装飾部材が薄板状であることを特徴とする。また本発明は、前記第２装飾部材が発光機能または反射機能を有することを特徴とする。また本発明は、前記係合溝部が受け部材に形成された場合に、係合溝部が受け部材の表裏に貫通して設けられたことを特徴とする。また本発明は、前記受け部材に取付け脚部を形成するとともに、該取付け脚部を車輪スポ−クに取り付けたことを特徴とする。また本発明は、前記いずれかに記載の自転車用装飾具を取り付けたことを特徴とする自転車。
【発明の効果】
【０００７】
本発明によれば、自転車の適宜部位に取り付けられる受け部材と、該受け部材の表面の受け座の周縁に受け座に直交する方向に起立形成される受け座周壁部と、該受け座周壁部の辺部の内側に形成された係合溝部と、受け部材に装着される第１装飾部材とからなり、該第１装飾部材の本体周壁部の辺部には、前記受け座周壁部の係合溝部に対応して係合する係合突起部が形成され、前記係合溝部と係合突起部とが、前記受け部材と第１装飾部材との装着方向の壁面に沿って設けられ、かつ、前記受け部材と第１装飾部材との間に第２装飾部材を介設して、前記受け部材と第１装飾部材とが係合溝部と係合突起部とにより着脱自在に装着されたことにより、弾性を持たせて取付け性を向上させた受け部材と別部材にて第１装飾部材を構成して、装飾性能を向上させるための材質の選定が自在となり、必要に応じて材質や色彩等を変更した異なった装飾機能を有する別の第１装飾部材に容易に組み替えることも可能となる。その際、係合溝部と係合突起部とは受け座部の受け座面に直交する方向の壁面に沿って設けられているので、受け部材への第１装飾部材の装着時に、装着方向の壁面にてガイドされつつ確実かつ迅速に係合溝部と係合突起部とを係合・離脱させることが可能で、多彩な装飾機能を有する第２装飾部材のみを単に受け部材と第１装飾部材との間に介設して挟持させるだけで、受け部材と第１装飾部材とに何らの装飾機能を施さなくても、装飾具に多彩な装飾機能を発揮させることができる。その上、製造工程においても、受け部材に第２装飾部材を単に載置させた後に第１装飾部材を装着すればよく、従来の接着剤を用いて貼着するもののように、不適切なずれを心配する必要がないので、作業性が格段に向上する。しかも、第２装飾部材を介設して受け部材と第１装飾部材とをワンタッチにて容易に装着ないし取外しをすることができるので、簡素な構造にて作業性の向上に寄与できる。その上、金型を単純な上型と下型との組合せで構成することも可能となり、係合部を成形するためにだけ金型に余分な構造や工程を追加せずに済む。また、前記第１装飾部材が立体的な幾何学形状を備えている場合は、自転車に取り付けられる受け部材と、幾何学的形状（方形、三角形、菱形、多角形、円形等またはこれらの組合せ）の第１装飾部材とを分離構成できるので、取付け部を有する受け部材に対して、別途にて装飾部を装飾的効果の高い比較的複雑な幾何学形状として製造することが容易となる。
【０００８】
また、前記第１装飾部材が透過性材料から構成された場合は、受け部材あるいは第１装飾部材の裏面に施した色彩等の装飾部を第１装飾部材の表面側から視認することができるので、最小限の部品の組合せにても装飾機能を充分に発揮させることが可能となる。
【０００９】
さらにまた、前記第２装飾部材が薄板状である場合は、受け部材と第１装飾部材との間に形成される介設隙間を可及的に薄くできるので、受け部材と第１装飾部材との間に形成される着脱のための互いの係合部の配設位置の選定の自由度を大きくすることができる。また、前記第２装飾部材が発光機能または反射機能を有する場合は、透過性材料から構成された第１装飾部材の透過機能と相俟って、第１装飾部材により有効に保護された第２装飾部材の美しい装飾機能が発揮されるとともに、視認のための発光機能または反射機能を充分に発揮させることができるので、夜間走行中の車両や歩行者による自転車の視認が確実に行えて安全である。
【００１０】
削除
【００１１】
また、前記係合溝部が受け部材に形成された場合に、係合溝部が受け部材の表裏に貫通して設けられた場合は、受け部材の成形の際に、受け部材に形成すべきところの受け座面に連設される係合溝部のための中子等の型の型抜きが円滑で容易となる。さらに、前記受け部材に取付け脚部を形成するとともに、該取付け脚部を車輪スポ−クに取り付けた場合は、第１装飾部材とは別部材にて構成された受け部材における取付け脚部を、取付けに適合した弾性を有する材質等を選定して構成することで、自転車の回転部分であるスポ−クに確実に取り付けることが可能となり、車輪の回転により装飾具の装飾機能を目立たせて視認機能を充分に発揮させることができる。
【００１２】
さらにまた、前記自転車用装飾具を取り付けた自転車とした場合は、簡素な製造工程にて失敗の虞れなく装飾部の形成が可能で、第１装飾部材の材料の選定の自由度も高い装飾具を、高い塔乗者の安全が要求される自転車に取り付けることができるので、その安全性の実用的効果が絶大となる。
【発明を実施するための最良の形態】
【００１３】
以下本発明の自転車用装飾具の実施例を図面に基づいて説明する。図１〜図６は本発明の自転車用装飾具の１つの実施例を示すもので、図１は本発明の自転車用装飾具の分解斜視図および組立て完了時の一部断面表示の斜視図、図２は本発明の自転車用装飾具が取り付けられた自転車の要部斜視図および自転車用装飾具をスポークに取り付けた状態の拡大斜視図、図３は本発明の受け部材の各面図、図４は本発明の受け部材の断面および受け部材の一部断面表示の拡大要部斜視図、図５は本発明の第１装飾部材の各面図、図６は本発明の自転車用装飾具の組立て完了時の各面図である。
【実施例１】
【００１４】
本発明の自転車用装飾具の基本的な構成は、図１に示すように、自転車の適宜部位に取り付けられる受け部材１０と、該受け部材１０に装着される第１装飾部材２０とからなり、該第１装飾部材２０は前記受け部材１０に着脱自在に装着されたことを特徴とする。図１（Ａ）に示すように、自転車の適宜部位に取り付けられる装飾具１は、やや弾性のあるプラスチック等の材質から成形される受け部材１０と、該受け部材１０に装着される受け部材１０と別材質の第１装飾部材２０とから構成される。受け部材１０は、自転車の適宜部位、実施例のものは図２に示すように車輪のスポーク２に取り付けられる。受け部材１０の裏面（底面）には一対の取付け脚部１１、１１が突設され、これらの取付け脚部１１、１１間に形成された取付け溝部１２がスポーク２に圧入してワンタッチにて取り付けられる。取付け溝部１２の幅はスポーク２の直径より僅かに小さく形成されて、取付け時の盲動が防止される構成とされるが、開口側はスポーク２の直径より幾分幅が大きく傾斜形成されて取付け時のガイド作用を行う。
【００１５】
受け部材１０の表面には平面で適宜形状（図示の実施例のものは星形形状であるが円形、楕円形、多角形その他適宜形状が採用される）の受け座部１３が形成され、その周縁には受け座周壁部１４が起立形成される。該受け座周壁部１４の適宜の辺部の内側には、後述する第１装飾部材２０の係合突起部２２と係合する複数の係合溝部１５が形成される。これに対して、前記受け座部１３の平面形状（図示の例では星形）と同じ（正確には相似形でやや小さい）第１装飾部材２０が挿入装着される。第１装飾部材２０は好適には透過性のプラスチック等の材質が選定される。該第１装飾部材２０は前記受け部材１０とは異なり格別に弾性を有さずともよい。第１装飾部材２０には、前記受け座部１３の周縁に起立形成された受け座周壁部１４の高さにほぼ等しい厚みの本体周壁部２１が形成され、その本体周壁部２１の各上縁から中央部に向かって山形部２３が形成される。前記本体周壁部２１の適宜の辺部には、前記受け座周壁部１４の内側に形成された係合溝部１５に対応して複数の係合突起部２２が形成される。前記係合溝部１５と係合突起部２２とは、前記受け部材１０と第１装飾部材２０との装着方向（受け座部１３の受け座面に直交する方向）の壁面に沿って設けられているので、受け部材１０への第１装飾部材２０の装着時に、装着方向の壁面にてガイドされつつ確実かつ迅速に係合溝部１５と係合突起部２２とを係合・離脱させることが可能となる。
【００１６】
前記第１装飾部材２０を半透明ないし透明性の透過性材質により構成した場合には、受け座部１３の表面あるいは第１装飾部材２０の裏面に塗布等の方法により色彩装飾あるいは反射性もしくは発光性装飾等を施すことによって、第１装飾部材２０の表面に装飾効果をもたらすことができる。そのような構成も本発明の範疇にあるが、本発明の実施例では、好適には、受け部材１０と第１装飾部材２０との間に塗布あるいは装飾層の接着等による発光機能または反射機能を形成した薄板状の第２装飾部材３０を挟持して介設するものである。このように構成すれば、多彩な装飾機能を有する第２装飾部材３０のみを単に受け部材１０と第１装飾部材２０との間に介設して挟持させるだけで、受け部材１０と第１装飾部材２０とに何らの装飾機能を施さなくても、透過性材料から構成された第１装飾部材２０の透過機能と相俟って、第１装飾部材２０により有効に保護された第２装飾部材３０の美しい装飾機能が発揮されるとともに、装飾具に多彩な装飾機能を発揮させることができ、視認のための発光機能または反射機能を充分に発揮させることができるので、夜間走行中の車両や歩行者による自転車の視認が確実に行えて安全である。その上、製造工程においても、受け部材１０に第２装飾部材３０を単に載置させた後に第１装飾部材２０を装着すればよく、従来の接着剤を用いて貼着するもののように、不適切なずれを心配する必要がないので、作業性が格段に向上する。
【００１７】
さらに、前記第２装飾部材３０が薄板状に構成されているので、受け部材１０と第１装飾部材２０との間に形成される介設隙間を可及的に薄くできるので、受け部材１０と第１装飾部材２０との間に形成される着脱のための互いの係合部、すなわち係合溝部１５および係合突起部２２の形成・配設位置の選定の自由度を大きくすることができる。前記第１装飾部材２０の周壁部２１に形成された係合突起部２２は、装着方向前方（図１（Ａ）の図面下方）側が先細りに傾斜形成され、後端部（図面上方）が抜止め段部に形成されている。受け部材１０への第１装飾部材２０の装着時に、その抜止め段部が前記受け部材１０の受け座周壁部１４における係合溝部１５の上端部に抜止め係止される。このようにして、第２装飾部材３０を介設して受け部材１０に第１装飾部材２０を装着した状態を示したものが図１（Ｂ）である。図１（Ｂ）では、後述するように、受け部材１０の受け座周壁部１４における係合溝部１５が受け座部１３の表裏に貫通して設けられた状態が、一部断面表示にて明瞭に示されている。
【００１８】
図３は本発明の受け部材の各面図である。図３（Ａ）は平面形状が星形の例で受け座部１３とその周囲の受け座周壁部１４が起立形成された状態が明瞭に示されている。図３（Ｃ）は図３（Ａ）の側面図を示し、自転車のスポークへの取付け脚部１１、１１および取付け溝部１２の形成状態が理解される。図３（Ｄ）は図３（Ｃ）を側方から見た図である。図３（Ｂ）は受け部材の全体斜視図、図３（Ｆ）は下方から見た受け部材の全体斜視図である。図３（Ｅ）の底面図および前記図３（Ｆ）によれば、係合溝部１５が底部にまで貫通して形成された状態が明瞭に示されており、このことは、受け部材１０の受け座部１３を支持・成形する金型から係合溝部１５を形成するために突出形成される中子の離型を容易にできる効果がある。図４（Ａ）は図３（Ａ）のＢ−Ｂ断面の受け部材１０の断面図で、図４（Ｂ）はその外側面図、図４（Ｃ）は受け部材の一部断面表示の拡大要部斜視図で、図１（Ｂ）から第１装飾部材２０を取り外した状態の要部拡大図であり、係合溝部１５が受け座部１３の底部にまで貫通して形成された状態がさらに明瞭に理解される。
【００１９】
図５は本発明の第１装飾部材の各面図であり、第１装飾部材２０における本体周壁部２１に形成される係合突起部２２の配設形態が示されている。したがって、第１装飾部材２０が装着される前記受け部材１０における係合溝部１５の配設位置もこれらの係合突起部２２の配設位置に対応させて形成される。本体周壁部２１の全ての辺部に係合突起部２２を形成してもよいが、それは過剰品質となる可能性があり、また、全ての星形の放射状の各突起の一方（回転するとして回転方向の前方）側に形成するとすれば、受け部材１０に対して第１装飾部材２０に反回転方向の外因が作用すると、第１装飾部材２０が受け部材１０から離脱する虞れがある。したがって、図５（Ａ）および図５（Ｅ）に示すように、４個の係合突起部２２を円周上に比較的均等に分散した上で、いずれの回転方向（図５（Ａ）の第１装飾部材２０の中心に立てた回転軸回りの）に対しても係合溝部１５から係合突起部２２が離脱しないように、かついずれの方向（図１（Ａ）の前後左右）への移動に対しても係合溝部１５から係合突起部２２が離脱しないような位置に、係合突起部２２が配設されるとよい。
【００２０】
図６は本発明の自転車用装飾具の組立て完了時の各面図である。前記図３の受け部材１０の各面図に、図５の第１装飾部材２０における対応する各面図のものが図示省略の第２装飾部材３０を介設して装着された状態が示されている。受け部材１０における受け座周壁部１４の平面形状に相似形でやや小さい第１装飾部材２０が、前述のように、受け部材１０における係合溝部１５に第１装飾部材２０の係合突起部２２が係合された状態にてワンタッチにて挿入装着される。その係合は、受け部材１０における受け座周壁部１４の素材自体の弾性変形を利用して第１装飾部材２０の係合突起部２２が受け座周壁部１４内に挿入される。もし、第１装飾部材２０を受け部材１０から取り外す必要が生じた場合には、例えば、図６（Ａ）のＰ部等の隙間にピン等を差し込んでこじ開けることが可能である。かくして、第１装飾部材２０自体に施した装飾部あるいは第１装飾部材２０と受け部材１０との間に介設した第２装飾部材３０によって、美しい装飾機能が発揮されるとともに、装飾具に多彩な装飾機能を発揮させることができ、視認のための発光機能または反射機能を充分に発揮させることもできるので、夜間走行中の車両や歩行者による自転車の視認が確実に行えて安全である。その上、製造工程においても、受け部材１０に第２装飾部材３０を単に載置させた後に第１装飾部材２０を装着すればよく、従来の接着剤を用いて貼着するもののように、不適切なずれを心配する必要がないので、作業性が格段に向上することとなった。
【００２１】
以上、本発明の実施例について説明してきたが、本発明の趣旨の範囲内で、装飾具が取り付けられる自転車の部位（好適には、車輪のスポークに取り付けられるが、ペダル、ハンドルバー端部端面、泥除け、錠部材、ミラー背面、ステー等適宜の部位にも取付け可能である）、受け部材の形状、形式およびその材質（幾分弾性を有するものが好ましいが、もし第１装飾部材側の係合突起部に弾性機能があれば受け部材に格別の弾性は不要である）、第１装飾部材の形状、形式およびその材質（透過性の程度は外部から視認できる程度の透過性があればよい。第１装飾部材を枠体状に構成して、第２装飾部材を受け部材との間で挟持介設が確保できるなら、直接に第２装飾部材を外部から視認できるようにもできる）、第２装飾部材の形状（好適には薄板状が採用される。受け部材と第１装飾部材との間に単に介設されることから、受け部材の受け座部の平面形状と同じでなくてもよい。また、受け部材の受け座部への載置についても、スポット的に一部に接着剤を塗布することも採用されてよいし、全面に接着剤を塗布することを排除するものでもない）、形式およびその材質、受け部材と第１装飾部材との装着形態（実施例のものの係合溝部と係合突起部の他、受け部材側に係合突起部を第１装飾部材側に係合溝部を形成することもできる。また、これらの係合部材は受け部材と第１装飾部材との装着方向の壁面に沿って設けるのを好適とするが、例えば、受け座周壁部の高さを小さく形成して、その周壁部上面と、平面形状をやや大きく形成した第１装飾部材の対向面との間に係合部材を形成配設するようにしてもよい。あるいは、第１装飾部材を受け部材よりも大きく構成するとともに、受け座周壁部の外側面に摺接する壁部を垂設し、受け座周壁部の外側面と第１装飾部材の垂設壁部との間に係合部を設けることもできる）、第１装飾部材あるいは第２装飾部材における装飾部の付与形態（装飾層の塗布、接着、刻設等）および装飾部の装飾機能の形態（彩色、発光機能、反射機能、それらの組合せ等）、受け部材の自転車部位への取付け形態（実施例のもののように、一対の取付け脚部を圧入して取り付けるものの他、受け部材の底面に剥離紙を有する粘着層を設けて、粘着層により取り付けてもよい。また、スポーク等に取り付ける際には、表裏に各第１装飾部材を装着した一対の受け部材を配置し、これら受け部材間の底面にスポークを挟持した形態にて係合できる装着部材を形成するようにしてもよい。）、係合溝部が受け部材に形成された場合に、係合溝部が受け部材の表裏への貫通形態等については適宜選定できる。
【図面の簡単な説明】
【００２２】
【図１】本発明の自転車用装飾具の分解斜視図および組立て完了時の一部断面表示の斜視図である。
【図２】同、本発明の自転車用装飾具が取り付けられた自転車の要部斜視図および自転車用装飾具をスポークに取り付けた状態の拡大斜視図である。
【図３】同、本発明の受け部材の各面図である。
【図４】同、本発明の受け部材の断面および受け部材の一部断面表示の拡大要部斜視図である。
【図５】同、発明の第１装飾部材の各面図である。
【図６】同、本発明の自転車用装飾具の組立て完了時の各面図である。
【図７】従来の自転車用飾り具の説明図である。
【符号の説明】
【００２３】
１    装飾具
２    スポーク
１０    受け部材
１１    取付け脚部
１２    取付け溝部
１３    受け座部
１４    受け座周壁部
１５    係合溝部
２０    第１装飾部材
２１    本体周壁部
２２    係合突起部
２３    山形部
３０    第２装飾部材
【図１】
0005107071.tif 000002
【図２】
0005107071.tif 000003
【図３】
0005107071.tif 000004
【図４】
0005107071.tif 000005
【図５】
0005107071.tif 000006
【図６】
0005107071.tif 000007
【図７】
0005107071.tif 000008